(57)【要約】本発明は、少なくとも１つの写真画像と、文字、ロゴ、又は色背景等の少なくとも１つの追加要素とを含むカラー画像を、異なる色を用いて印刷する印刷方法に関する。この方法では、最大６色が使用され、これらの色が、シアン、マゼンタ、イエローの３原色、並びに補われた黒から成る第１の集合と、オレンジ、及び、青及び緑のいずれかの２つの特別色から成る第２の集合とから成る。写真画像は、第１の集合の色のみを用いて印刷され、カラー画像の追加要素は、実質的に、第２の集合の色を用いて印刷される。
2004525564.tif 000002
【特許請求の範囲】
【請求項１】
少なくとも１つの写真画像と、文字、ロゴ、及び色背景等の少なくとも１つの追加要素とを含むカラー画像を、異なる色を用いて印刷する印刷方法であって、
最大６色が使用され、これらの色が、シアン、マゼンタ、及びイエローの３原色、並びに補われた黒から成る第１の集合と、オレンジ、及び、青又は緑の２つの特別色から成る第２の集合とから成り、
前記写真画像は、第１の集合の色のみを用いて印刷され、
前記カラー画像の追加要素は、実質的に、第２の集合の色を用いて印刷される方法。
【請求項２】
少なくとも１つの写真画像と、文字、ロゴ、及び色背景等の少なくとも１つの追加要素とを含むカラー画像を、異なる色のインクを用いて印刷する印刷方法であって、
最大６色が使用され、これらの色が、シアン、マゼンタ、及びイエローの３原色、並びに補われた黒から成る第１の集合と、オレンジ、及び、青又は緑の２つの特別色から成る第２の集合とから成り、
前記写真画像は、第１の集合の色のインクのみを用いて印刷され、
前記カラー画像の追加要素は、実質的に、第２の集合の色のインクを用いて印刷される方法。
【請求項３】
追加要素の印刷において、第２の集合からの色が、第１の集合からの１以上の色で補われる請求項１又は２に記載の印刷方法。
【請求項４】
前記色は、ストキャスティックスクリーンで印刷される請求項１から３のいずれかに記載の印刷方法。
【請求項５】
印刷中、カラーシーケンスは、黒、シアン、マゼンタ、イエロー、青又は緑、オレンジの順である請求項１から４のいずれかに記載の印刷方法。
【請求項６】
印刷されるべきカラー画像が、原画像を走査し、続いてデジタルファイルを形成することによって、前記原画像から複製され、かつ色毎に、位置決めされた複製値を有する請求項１から５のいずれかに記載の印刷方法。
【請求項７】
デジタルファイルにおける複製値を印刷版上のプレート複製値へ変換する間に、少なくとも人間の目には正確な複製物を得るために校正が行われる請求項６に記載の印刷方法。
【請求項８】
ｘがファイルにおける複製値、ｙが校正された値、ａが色及びスクリーン間隔に依存する係数である場合に、
前記校正が、実質的に、ｙ＝−１００・（１０１／ａ・ｌｏｇ（１−ｘ／１００）−１）によって記載される請求項７に記載の印刷方法。
【請求項９】
第１の集合からの色と、２０μｍのスクリーン間隔との組み合わせによって形成されたグレー値の校正のために、前記係数ａが約１．８に達する請求項８に記載の印刷方法。
【請求項１０】
前記校正が、印刷版の露光時に行われる請求項７から９のいずれかに記載の印刷方法。
【請求項１１】
オレンジ色について、その色が、５９．００，５５．５３，８２．１６のＣＩＥｌａｂによる色定義と、ΔＥ＜６．０の色許容差とを用いて選択される請求項１から１０のいずれかに記載の印刷方法。
【請求項１２】
青色について、その色が、２８．６１，１９．１３，−６１．５４のＣＩＥｌａｂによる色定義と、ΔＥ＜６．０の色許容差とを用いて選択される請求項１から１１のいずれかに記載の印刷方法。
【請求項１３】
緑色について、その色が、６３．９９，−６４．２０，３５．８６のＣＩＥｌａｂによる色定義と、ΔＥ＜６．０の色許容差とを用いて選択される請求項１から１２のいずれかに記載の印刷方法。
【請求項１４】
５９．００，５５．５３，８２．１６のＣＩＥｌａｂによる色定義と、ΔＥ＜６．０の色許容差とを有するオレンジ色を得るためにオレンジ色素を含む、請求項１から１３のいずれかに記載の方法に適用される色媒体。
【請求項１５】
２８．６１，１９．１３，−６１．５４のＣＩＥｌａｂによる色定義と、ΔＥ＜６．０の色許容差とを有する青色を得るために青色色素を含む、請求項１から１４のいずれかに記載の方法に適用される色媒体。
【請求項１６】
６３．９９，−６４．２０，３５．８６のＣＩＥｌａｂによる色定義と、ΔＥ＜６．０の色許容差とを有する緑色を得るために緑色色素を含む、請求項１から１５のいずれかに記載の方法に適用される色媒体。
【請求項１７】
前記色媒体が、材料、又は基板上に堆積され、カラー画像を複製する物質である請求項１４、１５、及び１６の少なくとも１つの色媒体。
【請求項１８】
前記物質がインクである請求項１７に記載の色媒体。
【請求項１９】
前記物質がトナーである請求項１７に記載の色媒体。
【請求項２０】
前記物質が色箔である請求項１７に記載の色媒体。
【発明の詳細な説明】
【０００１】
本発明は、少なくとも１つの写真画像と、少なくとも１つの、文字、ロゴ及び色背景等の追加要素とから成るカラー画像を、異なる色を用いて印刷する印刷方法に関する。
【０００２】
本発明は、特に、食料品のパッケージ等の材料又は基板に印刷をする際に原画像から複製されるカラー画像の印刷に関する。その原理は、原画像に存在する色が、複製中に３原色（シアン、マゼンタ、及びイエロー）に分離され、かつ印刷中に再び合わせられることに基づく。従来のフルカラー印刷が行われるインクは、現代の生産方法にもかかわらず、理想的ではなく、以下の短所を有する。それらは、鮮やかでなく、彩度が低く、かつ印刷処理中に色の複製のばらつきが起こる。とりわけこれらと他の短所のために、３原色に黒が追加される。
【０００３】
例えば、印刷パッケージ上では、写真画像に加えて、文字、ロゴ及び色背景等の追加の要素が重要である。これらの要素は、大抵、色強度の高い鮮やかな色から成る。主要印刷色は、この色範囲をもたず、主要印刷色が混ざるとき、輝度は急速に減退する。これが、特別に着色されたインクが開発された理由である。従って、従来の方法による印刷を可能にするためには、大きなインク貯蔵室が必要である。さらに、異なるカラー画像を印刷する間、印刷ユニットは清潔にされなければならず、印刷物の印刷版を毎回変えなければならない。
【０００４】
本発明の目的は、印刷処理を最適化すると共に、その効率を改善することである。
【０００５】
それ故、イントロダクションで定義される方法は、最大６色の異なる色が使用され、これらの色が、シアン、マゼンタ、及びイエローの３原色、並びに補われた黒から成る第１の集合と、オレンジ、及び、青と緑のいずれかの２色の特別色から成る第２の集合とで構成され、写真画像が、第１の集合からの色のみを用いて印刷され、カラー画像の追加要素が、実質的に、第２の集合からの色を用いて印刷されるという特徴を有する。
【０００６】
任意の原画像が、シアン、マゼンタ、イエロー、及び黒の４色の基本的な印刷色と、オレンジ、及び、青と緑のいずれかの２色の特別色とを用いて、少なくとも肉眼に対して正確な複製に印刷できる。写真画像において、シアン、マゼンタ、イエロー、及び黒の色域は、一般的に、写真画像の印刷において、これらの基本的な印刷色で十分であるように、受け入れられる。追加要素に対して、オレンジ及び青紫のスペクトルにおける色は、複製することが困難であり、故に、第２の集合における３つの特別色のうち２つが使用される。
【０００７】
それ以外に、米国特許第５７３４８００号によって、Ｈｅｘａｃｈｒｏｍｅという名で示される６色の印刷システムが知られる。それは、シアン、マゼンタ、イエロー、黒、オレンジ、及び緑の６つの特別に着色されたインクを使用する。写真画像と追加要素の両方が、これらの６色のインクを用いて印刷される。Ｈｅｘａｃｈｒｏｍｅは、グラフィックデザイナーに、より広範囲の可能性を与え、印刷処理や印刷用インクの欠点を減じるために特別に開発された。第２の色を用いることによる低純度の校正や、インクのより高い着色は、複製された画像において誇張された色をもつ非写真効果を提供する。それは、しばしば、美しくないものとして感知される。
【０００８】
本発明の好ましい方法によれば、追加要素の印刷において、第２の集合からの色が、第１の集合からの１以上の色で補われる。これは、追加要素に対してより広い色域が得られることを可能にする。
【０００９】
加えて、それらの色は、好ましくは、プリント動作において色のばらつきを減じ、スクリーン線からの干渉を防止するために、ストキャスティック（Ｓｔｏｃｈａｓｔｉｃ）スクリーンで印刷される。その効果は、従来のスクリーニングに存在できる。
【００１０】
印刷中、印刷される材料にあるほこりが、最終結果にできるだけ影響を及ぼさないように、カラーシーケンスは、黒、シアン、マゼンタ、イエロー、青又は緑、オレンジの順であることが好ましい。
【００１１】
印刷されるべきカラー画像は、原画像を走査し、続いて、色毎に、位置付けられた複製値を含むデジタルファイルを形成することによって複製される。使用されるのは、原則的に、標準的な複製技術である。本発明によれば、写真画像のみが、第１の集合からの、原色と補われた黒とから成るので、これらの画像要素のみを、複製する必要があるだけである。第２の集合からの特別色は、追加要素に使用されるのみである。デジタルファイルは、印刷されるべきカラー画像における追加要素についての関連した情報で補われる。
【００１２】
一般的に、スクリーンの品質がよいほど、印刷中の歪みは高くなる。ストキャスティックスクリーニングは非常に優れているので、大きな偏差が関与し始める。印刷結果においてこれらの偏差を未然に防ぐために、ファイルにおける複製値を印刷版上のプレート複製値に変換する間、校正が行われる。それ故、ストキャスティック複製は、従来のスクリーニングされた複製のレベルまで減じられることが可能である。
【００１３】
テストは、校正が、実質的に、以下の式で記載できることを示した。
【数１】
2004525564.tif 000003
ここで、ｘ＝ファイルにおける複製値（％）
ｙ＝校正された値（％）
ａ＝色、及びスクリーン間隔に依存する係数
【００１４】
第１の集合からの色と、２０μｍのスクリーン間隔との組み合わせによって形成されるグレー値の校正において、上述の係数「ａ」は、約１．８になる。シアン、マゼンタ、イエロー、及び黒の色に対する校正は、同じ式を用いて記述できる。
【００１５】
その校正は、好ましくは、現存するファイルが変化しなくていいように、プレート露光の段階で行われるが、ファイルにおける複製値に適用できる。
【００１６】
何百もの原画像を解析した後、以下のことがわかった。以下のＣＩＥｌａｂによる色定義と、ΔＥが６．０未満（ΔＥ＜６．０）の色の許容差とを有する、第２の集合の色を形成するオレンジ、青、及び緑の色が、少なくとも人間の目には正しい、任意の原画像の印刷されたカラー画像を提供する。これらの特別色は、単に、追加要素に使用されるのみである。
【表１】
2004525564.tif 000004
【００１７】
最後に、本発明は、その方法に適用する色媒体にも関連する。この色媒体は、上記のような色定義をもつ、特別なオレンジ、緑、又は青の色素を含む。その色媒体は、例えば、（デジタル）校正システムに使用されるインク、トナー、色箔、又はカラー画像を複製するために材料又は基板上に堆積される他の材料であってよい。
【００１８】
例えば、ボール紙から成るパッケージの印刷のために、写真要素と追加要素とから構成されたデザインが設計される。追加要素は、例えば、包装された製品についての情報を提供する文字、又は製品の出所を示すロゴである。そのようなデザインの印刷を可能にするために、デジタルファイルが、原画像の複製による一般的に知られた方法で形成される。その後、色毎に、ストキャスティックスクリーンを用いて、デジタルプレート露光によって、印刷版が製造される。印刷版は、所定のカラーシーケンスで印刷機に組み込まれ、パッケージングの印刷が可能である。
【００１９】
本発明によれば、原画像の写真要素は、走査され、シアン、マゼンタ、及びイエローの３原色、並びに補われた黒に分離される。一方、追加要素の印刷のための、特別なオレンジ、及び、特別な青、若しくは特別な緑についての情報は、デジタルファイルにおける走査された情報に追加される。基本的な印刷色であるシアン、マゼンタ、イエロー、及び黒は、印刷中、色調値のばらつきが最も少なく、故に、写真要素が、これらの色のみで印刷され、得られる複製はできるだけ自然である。これは、追加要素の場合では異なる。なぜなら、追加要素は、大抵、高い色強度を有する鮮やかな色から構成されるからである。シアン、マゼンタ、及びイエローの原色、並びに補われた黒は、必要な色域を提供できない。故に、特別色であるオレンジ、及び、特別色である青若しくは緑が、追加要素を印刷するために適用される。本発明により得られる主要な効果は、任意のデザインの印刷のために、その中から最大６色が選択される７色の印刷インクの集合で十分足りることである。
【００２０】
印刷は、通常の６色出版物で行われる。また、その出版物に、７色の限られたインク貯蔵室の結果として、固定されたカラーシーケンスが採用できる。いくつかのデザインについて、特別色である青の印刷版を、特別色である緑の印刷版と交換する、又は、その逆を行うことが必要なだけである。それ故、印刷機の印刷ユニットを清掃する時間が相当減じられる。各々のデザインに対して、最大６個の印刷版と６個の印刷ユニットが必要であり、印刷ユニットは、デザインが変化するとき清掃を必要としない。なぜなら、同じカラーシーケンスと同じ色が使用されるからである。また、インク貯蔵室は、以前は、例えば、それぞれ６色で印刷された４つの異なるデザインの場合には全部で１２色から２４色までの異なるインクが必要とされたが、７色の異なるインクが必要なだけである。
【００２１】
多くのデザインを解析した後、下記の特別色を用いれば、任意のデザインが、少なくとも人間の目に正しい複製に印刷できることが明らかになった。５９．００，５５．５３，８２．１６のＣＩＥｌａｂによる色定義を有するオレンジと、２８．６１，１９．１３，−６１．５４のＣＩＥｌａｂによる色定義を有する青と、６３．９９，−６４．２０，３５．８６のＣＩＥｌａｂによる色定義を有する緑は、ΔＥ＜６．０の色許容差内で、ごまかし又は欠点なしに、Ｔｅｃｈｋｏｎ ＳＰ８３０ ラムダＤ６５で測定された。
【００２２】
図１−図３は、スクリーンパーセンテージ（図１）、色成分における差（図２）、及び印刷物としてのボール紙における色の差（図３）の増大に伴う平均的な印刷処理における色のばらつきを連続的に示す。全ての図において、色の差（ΔＥ）が、ｙ軸に沿ってプロットされる。図１において、ｘ軸に沿って、スクリーンパーセンテージ（Ｒ）がプロットされる。図２において、ｘ軸に沿って、混合された色（第１、第２、及び第３）の数がプロットされる。図３において、ｘ軸に沿って、印刷濃度（Ｄ）がプロットされる。色のばらつきが、従来のスクリーン（実線）での印刷、及びストキャスティックスクリーン（点線）での印刷の両方で示される。ストキャスティックスクリーンの適用で、印刷処理における色のばらつきの減少が得られることは、図１−図３から明らかに理解できる。しかし、ストキャスティックスクリーンの使用は、結果として、原画像と異なる複製であることがわかった。
【００２３】
以下に、校正曲線が原画像の正しい複製を得るように定められる方法が説明される。その曲線は、ファイルにおける値の、印刷版上の値への変換において使用できる。原画像は、５％ずつ増える５乃至１００％の（従来の）スクリーンで印刷された一連のグレー値によって形成された。ファイルは、そのグレー値によって形成された。印刷版は、デジタルファイルを用いて露光された。複製された原画像は、ストキャスティックスクリーンで印刷された。複製物のスクリーンパーセンテージが、原画像のスクリーンパーセンテージと比較された。図４の表は、原画像のスクリーンパーセンテージ（ＯＲ）と、複製されたスクリーンパーセンテージ（ＧＲ）と、ストキャスティックスクリーンの使用による差（Ａ）とを含む。
【００２４】
図４の表における値は、ストキャスティックスクリーンと、従来のスクリーンのそれぞれで印刷されるグレー値のプレート複製曲線を形成する。そのグレー値は、４つの基本色であるシアン、マゼンタ、イエロー及び黒の組み合わせである。それらの値は、図５のグラフにプロットされる。ｙ軸に沿って、印刷複製値（ＤＷ）がプロットされ、ｘ軸に沿って、プレート複製値（ＰＷ）がプロットされる。加えて、四角は、ストキャスティック値を示し、菱形は、従来の値を示す。ストキャスティックスクリーニングは、従来のスクリーニングと比較して、複製された画像において、相当な差を示すことが明らかに理解できる。画像のストキャスティック複製を、従来の複製に合わせるために、デジタルファイルにおける複製値を印刷版におけるプレート複製値へ変換する際に、校正を行う必要がある。この校正は、テストによって解明され、以下の式で記載されうる。
【数２】
2004525564.tif 000005
ここで、ｘ＝ファイルにおける複製値（％）
ｙ＝校正された値（％）
ａ＝１．８
係数「ａ」は、色、及びスクリーン間隔に依存する。上述の式は、図６において図式的に示される。
【００２５】
校正は、好ましくは、印刷版の露光の段階で適用される。その場合の校正された値「ｙ」は、印刷版上のプレート複製値を示す。別の可能性は、ファイル自体における複製値を校正することである。ここで、「ｙ」は、校正された複製値を示す。このオプションは、現存するデジタルファイルが、その後、変形されなければならないので、あまり勧められない。
【００２６】
校正は、実際には、印刷版ごとに、すなわち、色毎に行うべきである。しかし、上述の式を用いて、シアン、マゼンタ、イエロー及び黒に加えて、特別のオレンジ、及び、特別の青又は特別の緑が、この式で校正されるなら、人間の目に十分な結果が可能である。
【００２７】
改善された印刷結果を得るために、インクは、好ましくは、ＵＶ耐性添加物、及び散乱消滅耐性添加物（ｄｉｓｐｅｒｓｉｏｎ ｖａｒｎｉｓｈ−ｒｅｓｉｓｔａｎｔ ａｄｄｉｔｉｖｅｓ）を含む。
【００２８】
本発明によれば、写真画像のための４つの基本色、すなわち、シアン、マゼンタ、イエロー及び黒、並びに追加要素のための２つの特別色、すなわち、オレンジ、及び、青若しくは緑を用いて、任意のデザインが印刷できる。さらに、印刷処理における色のばらつきを減じ、かつ干渉を防止するために、好ましくは、ストキャスティックスクリーンを用いて印刷が行われる。校正が実際に適用された後、印刷が従来のスクリーンを用いてなされるときと同じ複製物が得られる。
【図面の簡単な説明】
【００２９】
【図１】スクリーンパーセンテージに対してプロットされる色のばらつきを示すグラフ。
【図２】色成分に対してプロットされた色のばらつきを示すグラフ。
【図３】印刷物がボール紙であるとき、色の差に対してプロットされた色のばらつきを示すグラフ。
【図４】従来のスクリーニング、及びストキャスティックスクリーニングで印刷されたグレー値に対するスクリーンパーセンテージ、並びにその関連した差を示す表。
【図５】ストキャスティックスクリーン、及び従来のスクリーンで印刷されたグレー値に対する複製曲線がプロットされたグラフ。
【図６】グレー値に対する校正曲線を示す図。
【国際公開パンフレット】
2004525564.tif 000006
2004525564.tif 000007
2004525564.tif 000008
2004525564.tif 000009
2004525564.tif 000010
2004525564.tif 000011
2004525564.tif 000012
2004525564.tif 000013
2004525564.tif 000014
2004525564.tif 000015
2004525564.tif 000016
2004525564.tif 000017
2004525564.tif 000018
2004525564.tif 000019
2004525564.tif 000020
2004525564.tif 000021
2004525564.tif 000022
2004525564.tif 000023
2004525564.tif 000024
【手続補正書】
【提出日】平成15年4月11日(2003.4.11)
【手続補正１】
【補正対象書類名】特許請求の範囲
【補正対象項目名】全文
【補正方法】変更
【補正の内容】
【特許請求の範囲】
【請求項１】
少なくとも１つの写真画像と、文字、ロゴ、及び色背景等の少なくとも１つの追加要素とを含むカラー画像を、異なる色を用いて印刷する印刷方法であって、
最大６色が使用され、これらの色が、シアン、マゼンタ、及びイエローの３原色、並びに補われた黒から成る第１の集合と、オレンジ、及び、青又は緑の２つの特別色から成る第２の集合とから成り、
前記写真画像は、第１の集合の色のみを用いて印刷され、
前記カラー画像の追加要素は、第２の集合の色を用いて印刷される方法。
【請求項２】
少なくとも１つの写真画像と、文字、ロゴ、及び色背景等の少なくとも１つの追加要素とを含むカラー画像を、異なる色のインクを用いて印刷する印刷方法であって、
最大６色が使用され、これらの色が、シアン、マゼンタ、及びイエローの３原色、並びに補われた黒から成る第１の集合と、オレンジ、及び、青又は緑の２つの特別色から成る第２の集合とから成り、
前記写真画像は、第１の集合の色のインクのみを用いて印刷され、
前記カラー画像の追加要素は、第２の集合の色のインクを用いて印刷される方法。
【請求項３】
追加要素の印刷において、第２の集合からの色が、第１の集合からの１以上の色で補われる請求項１又は２に記載の印刷方法。
【請求項４】
前記色は、ストキャスティックスクリーンで印刷される請求項１から３のいずれかに記載の印刷方法。
【請求項５】
印刷中、カラーシーケンスは、黒、シアン、マゼンタ、イエロー、青又は緑、オレンジの順である請求項１から４のいずれかに記載の印刷方法。
【請求項６】
印刷されるべきカラー画像が、原画像を走査し、続いてデジタルファイルを形成することによって、前記原画像から複製され、かつ色毎に、位置決めされた複製値を有する請求項１から５のいずれかに記載の印刷方法。
【請求項７】
デジタルファイルにおける複製値を印刷版上のプレート複製値へ変換する間に、少なくとも人間の目には正確な複製物を得るために校正が行われる請求項６に記載の印刷方法。
【請求項８】
ｘがファイルにおける複製値、ｙが校正された値、ａが色及びスクリーン間隔に依存する係数である場合に、
前記校正が、実質的に、ｙ＝−１００・（１０１／ａ・ｌｏｇ（１−ｘ／１００）−１）によって記載される請求項７に記載の印刷方法。
【請求項９】
第１の集合からの色と、２０μｍのスクリーン間隔との組み合わせによって形成されたグレー値の校正のために、前記係数ａが約１．８に達する請求項８に記載の印刷方法。
【請求項１０】
前記校正が、印刷版の露光時に行われる請求項７から９のいずれかに記載の印刷方法。
【請求項１１】
オレンジ色について、その色が、５９．００，５５．５３，８２．１６のＣＩＥｌａｂによる色定義と、ΔＥ＜６．０の色許容差とを用いて選択される請求項１から１０のいずれかに記載の印刷方法。
【請求項１２】
青色について、その色が、２８．６１，１９．１３，−６１．５４のＣＩＥｌａｂによる色定義と、ΔＥ＜６．０の色許容差とを用いて選択される請求項１から１１のいずれかに記載の印刷方法。
【請求項１３】
緑色について、その色が、６３．９９，−６４．２０，３５．８６のＣＩＥｌａｂによる色定義と、ΔＥ＜６．０の色許容差とを用いて選択される請求項１から１２のいずれかに記載の印刷方法。
【請求項１４】
請求項１から１３のいずれかに記載の印刷方法によるカラー画像の複製のために、材料又は基板上に堆積される色媒体の集合であって、少なくとも
５９．００，５５．５３，８２．１６のＣＩＥｌａｂによる色定義と、ΔＥ＜６．０の色許容差とを有するオレンジ色を得るためにオレンジ色素を含む色媒体と、
２８．６１，１９．１３，−６１．５４のＣＩＥｌａｂによる色定義と、ΔＥ＜６．０の色許容差とを有する青色を得るために青色色素を含む色媒体、及び６３．９９，−６４．２０，３５．８６のＣＩＥｌａｂによる色定義と、ΔＥ＜６．０の色許容差とを有する緑色を得るために緑色色素を含む色媒体のいずれかと
を備える集合。
【請求項１５】
前記色媒体がインクである請求項１４に記載の色媒体の集合。
【請求項１６】
前記色媒体がトナーである請求項１４に記載の色媒体の集合。
【請求項１７】
前記色媒体が色箔である請求項１４に記載の色媒体の集合。
【国際調査報告】
2004525564.tif 000025
2004525564.tif 000026
2004525564.tif 000027